(57)【要約】【課題】トリガ操作を極力行わなくて済む構成を消費電力の増大を伴うことなく実現でき、情報コードの読み取り作業をも簡略化し得る光学的情報読取装置を提供する。【解決手段】光学的情報読取装置１は、コード読取部１ａのケース２内にケーブル６の一方側が接続されており、このケーブル６の他方側は外部装置１ｂに設けられたリールによって巻き取り可能とされている。外部装置１ｂ側では、ケーブル６が引かれたときにリールから送り出されるようになっており、この送り出し動作が検出部６０によって検出可能とされている。そして、ケーブル６の送り出し動作が検出部６０により検出されたときに、コード読取部１ａの読み取り状態を読取可能状態に切り替え、ケーブル６の巻き取り動作が検出されたときに、コード読取部１ａを省電力状態に切り替えるようにしている。【選択図】図１
2012190403.tif 000002
【特許請求の範囲】
【請求項１】
情報コードを読み取る光学的情報読取装置であって、
読取口が形成されたケースと、前記読取口を介して前記情報コードを走査する走査手段と、前記走査手段の走査に基づいて前記情報コードを解読する解読手段と、を備えたコード読取部と、
前記ケース内に一端が接続されるケーブルと、
前記ケーブルを巻き取り可能に構成され、且つ前記ケーブルが一方側から引かれたときに当該ケーブルを送り出し可能なリールと、
前記ケーブルの送り出し動作を検出する送り出し検出手段と、
前記コード読取部の読み取り状態を、前記情報コードの読み取りが可能となる読取可能状態と、前記読取可能状態のときよりも電力消費を抑えた省電力状態とに切り替える切替手段と、
を備え、
前記切替手段は、前記送り出し検出手段によって前記ケーブルの送り出し動作が検出されたときに、前記コード読取部を前記読取可能状態に切り替えることを特徴とする光学的情報読取装置。
【請求項２】
情報コードを読み取る光学的情報読取装置であって、
読取口が形成されたケースと、
前記読取口を介して前記情報コードを走査する走査手段と、前記走査手段の走査に基づいて前記情報コードを解読する解読手段と、を備えたコード読取部と、
前記ケース内に一端が接続されるケーブルと、
前記ケーブルを巻き取り可能に構成され、且つ前記ケーブルが一方側から引かれたときに当該ケーブルを送り出し可能なリールと、
前記ケーブルの巻き取り動作を検出する巻き取り検出手段と、
前記コード読取部の読み取り状態を、前記情報コードの読み取りが可能となる読取可能状態と、前記読取可能状態のときよりも電力消費を抑えた省電力状態とに切り替える切替手段と、
を備え、
前記切替手段は、前記巻き取り検出手段によって前記ケーブルの巻き取り動作が検出されたときに、前記コード読取部を前記省電力状態に切り替えることを特徴とする光学的情報読取装置。
【請求項３】
前記ケーブルの巻き取り動作を検出する巻き取り検出手段を備え、
前記切替手段は、前記巻き取り検出手段によって前記ケーブルの巻き取り動作が検出されたときに、前記コード読取部を前記省電力状態に切り替えることを特徴とする請求項１に記載の光学的情報読取装置。
【請求項４】
前記リール側又は当該リールを収容する収容体側には係合部が設けられ、
前記ケーブルには、前記係合部に対し係合及び離脱可能な被係合部が設けられており、
前記ケーブルが前記リールに所定量巻かれた場合に前記係合部と前記被係合部とが係合し、前記ケーブルが前記所定量巻かれた状態よりも送り出された場合に前記係合部と前記被係合部との係合が解除される構成をなしており、
前記送り出し検出手段は、前記送り出し動作として、前記被係合部が前記係合部から離脱したことを検出することを特徴とする請求項１又は請求項３に記載の光学的情報読取装置。
【請求項５】
前記リールは、前記ケーブルの動作が送り出し動作である場合に第１方向へ回転し、前記ケーブルの動作が巻き取り動作である場合に前記第１方向とは逆回転となる第２方向へ回転するように構成されており、
前記送り出し検出手段は、前記ケーブルが前記第１方向へ回転することを検出する第１回転検出手段を有してなり、
前記巻き取り検出手段は、前記ケーブルが前記第２方向へ回転することを検出する第２回転検出手段を有してなることを特徴とする請求項３に記載の光学的情報読取装置。
【請求項６】
前記送り出し検出手段及び前記巻き取り検出手段に兼用される構成をなし、且つ前記リールの周方向に沿ってスライド可能な操作部を有するスイッチ手段を備え、
前記スイッチ手段の前記操作部は、前記リールに前記ケーブルが所定量巻かれたときに当該ケーブルと接触するように構成され、前記ケーブルが前記所定量巻かれた状態で前記リールが前記第１方向に回転したときには、その接触する前記ケーブルの移動に応じて第１位置側に切り替わり、前記ケーブルが前記所定量巻かれた状態で前記リールが前記第２方向に回転したときには、その接触する前記ケーブルの移動に応じて第２位置側に切り替わるように構成されており、
前記送り出し検出手段は、前記操作部が前記第１位置へ切り替わることを検出し、
前記巻き取り検出手段は、前記操作部が前記第２位置へ切り替わることを検出することを特徴とする請求項５に記載の光学的情報読取装置。
【請求項７】
前記送り出し検出手段及び前記巻き取り検出手段に兼用される構成をなし、且つ前記ケーブルと接触して配置される操作部を備えたスイッチ手段を有し、
前記ケーブルにおける前記操作部の接触位置は、前記リールが前記第１方向に回転するときに所定方向に移動し、前記リールが前記第２方向に回転するときに前記所定方向とは逆方向に移動する構成をなし、
前記スイッチ手段の前記操作部は、前記リールが前記第１方向に回転したときには、前記ケーブルの前記接触位置の移動に応じて第１位置側に切り替わり、前記リールが前記第２方向に回転したときには、前記ケーブルの前記接触位置の移動に応じて第２位置側に切り替わるように構成されており、
前記送り出し検出手段は、前記操作部が第１位置へ切り替わることを検出し、
前記巻き取り検出手段は、前記操作部が前記第２位置へ切り替わることを検出することを特徴とする請求項５に記載の光学的情報読取装置。
【請求項８】
前記切替手段は、前記走査手段を走査可能状態と走査停止状態とに切り替え可能に構成されており、前記走査手段が前記走査停止状態のときに前記送り出し検出手段によって前記ケーブルの送り出し動作が検出された場合に、当該走査手段を前記走査可能状態に切り替えることを特徴とする請求項１、請求項３から請求項７のいずれか一項に記載の光学的情報読取装置。
【請求項９】
前記コード読取部は、前記走査手段による走査側に対して照明光を照射する照明手段を備え、
前記切替手段は、前記照明手段を照射可能状態と照射停止状態とに切り替え可能に構成されており、前記照明手段が前記照射停止状態のときに前記送り出し検出手段によって前記ケーブルの送り出し動作が検出された場合に、当該照明手段を前記照射可能状態に切り替えることを特徴とする請求項１、請求項３から請求項７のいずれか一項に記載の光学的情報読取装置。
【請求項１０】
前記切替手段は、前記コード読取部を電源オン状態と電源オフ状態とに切り替え可能に構成されており、前記コード読取部が前記電源オフ状態のときに前記送り出し検出手段によって前記ケーブルの送り出し動作が検出された場合に、当該コード読取部を前記電源オン状態に切り替えることを特徴とする請求項１、請求項３から請求項７のいずれか一項に記載の光学的情報読取装置。
【請求項１１】
前記コード読取部の外部に設けられると共に、筐体によって外殻が構成されてなる外部装置を有し、
前記リールは、前記筐体の内部に配置されていることを特徴とする請求項１から請求項１１のいずれか一項に記載の光学的情報読取装置。
【発明の詳細な説明】
【技術分野】
【０００１】
本発明は、光学的情報読取装置に関するものである。
【背景技術】
【０００２】
従来より、バーコード、ＱＲコード等の情報コードを光学的に読み取る光学的情報読取装置や携帯電話などの端末機器に、上位機器や電力供給源と電気的に接続するためのケーブルが接続された構成が知られており、例えば、下記特許文献１に示すものがある。
【０００３】
特許文献１には、携帯端末（１０２）に電源ケーブル（１０６）が接続されている構成が開示されている。そして、この電源ケーブル（１０６）は、巻き取りリール（１０８）により巻き取り可能に構成されており、充電中に携帯端末（１０２）に着信があった場合には、電源ケーブル（１０６）が引っ張られることにより、巻取リール（１０８）が電源ケーブル（１０６）を巻き出すようになっている。
【先行技術文献】
【特許文献】
【０００４】
【特許文献１】特開２０１０−１０９７７８号公報
【発明の概要】
【発明が解決しようとする課題】
【０００５】
ところで、光学的情報読取装置の分野では、作業者が情報コードを読み取るためのトリガ操作（例えば、トリガキーを押すなど）を毎回行うような構成では、特に当該装置の使用頻度が高い環境において、作業効率が悪いといった問題があった。このため、作業者が毎回トリガ操作を行う必要のない構成が望まれている。この要望に対応するための技術としては、常時読取動作を行なう連続トリガ方式があるが、この連続トリガ方式では、常に端末の電源をオン状態で維持しなければならず、更に、照明手段や撮像手段を常時駆動し続けなければならないため、消費電力が増大してしまうといった問題があった。また、連続トリガ方式では、情報コードに対して照明光を照射するための照射光が常時フラッシングしているため、この照明光が作業者等に眩しさを与えてしまうといった問題もあった。
【０００６】
一方、上記特許文献１の構成では、充電中に携帯端末（１０２）に着信があった場合に、電源ケーブル（１０６）を引っ張ることで、充電を継続したまま通話をすることができるという技術であり、光学的情報読取装置において読み取りのためのトリガ操作簡略化するという点については何ら記載が無く、上述の問題を解決することができなかった。
【０００７】
本発明は、上述した課題を解決するためになされたものであり、トリガ操作を極力行わなくて済む構成を消費電力の増大を伴うことなく実現でき、情報コードの読み取り作業をも簡略化し得る光学的情報読取装置を提供することを目的とする。
【課題を解決するための手段】
【０００８】
上記目的を達成するため、本発明は、情報コードを読み取る光学的情報読取装置であって、読取口が形成されたケースと、前記読取口を介して前記情報コードを走査する走査手段と、前記走査手段の走査に基づいて前記情報コードを解読する解読手段と、を備えたコード読取部と、前記ケース内に一端が接続されるケーブルと、前記ケーブルを巻き取り可能に構成され、且つ前記ケーブルが一方側から引かれたときに当該ケーブルを送り出し可能なリールと、前記ケーブルの送り出し動作を検出する送り出し検出手段と、前記コード読取部の読み取り状態を、前記情報コードの読み取りが可能となる読取可能状態と、前記読取可能状態のときよりも電力消費を抑えた省電力状態とに切り替える切替手段と、を備え、前記切替手段は、前記送り出し検出手段によって前記ケーブルの送り出し動作が検出されたときに、前記コード読取部を前記読取可能状態に切り替えることを特徴とする。
【０００９】
また、本発明は、情報コードを読み取る光学的情報読取装置であって、読取口が形成されたケースと、前記読取口を介して情報コードを走査する走査手段と、前記走査手段走査に基づいて前記情報コードを解読する解読手段と、を備えたコード読取部と、前記ケース内に一端が接続されるケーブルと、前記ケーブルを巻き取り可能に構成され、且つ前記ケーブルが一方側から引かれたときに当該ケーブルを送り出し可能なリールと、前記ケーブルの巻き取り動作を検出する巻き取り検出手段と、前記コード読取部の読み取り状態を、前記情報コードの読み取りが可能となる読取可能状態と、前記読取可能状態のときよりも電力消費を抑えた省電力状態とに切り替える切替手段と、を備え、前記切替手段は、前記巻き取り検出手段によって前記ケーブルの巻き取り動作が検出されたときに、前記コード読取部を前記省電力状態に切り替えることを特徴とする。
【発明の効果】
【００１０】
請求項１の発明では、ケース内にケーブルの一端が接続されており、このケーブルがリールに巻き取り可能に構成されている。また、コード読取部の読み取り状態を、情報コードの読み取りが可能となる読取可能状態と、読取可能状態のときよりも電力消費を抑えた省電力状態とに切り替える切替手段を備えている。そして、ケーブルが一端側から引かれるとリールから送り出されるように構成されており、このケーブルの送り出し動作が検出されたときに、切替手段によりコード読取部の読み取り状態を読取可能状態に切り替えるように構成されている。このようにコード読取部を読取可能状態と省電力状態とに切り替え可能とすれば、省電力化を図りやすくなる。一方、このように切り替え可能に構成する場合、どのタイミングでどのようにして省電力状態から復帰させるかが問題となるが、実際の使用開始時に想定されるケーブルの送り出し動作を検出したときに省電力状態から復帰させるようにすれば、複雑な操作を作業者に強いることなく適切なタイミングで省電力モードから復帰させることができる。
【００１１】
請求項２の発明では、ケース内にケーブルの一端が接続されており、このケーブルがリールに巻き取り可能に構成されている。また、ケーブルが一端側から引かれるとリールから送り出されるように構成されている。さらに、コード読取部の読み取り状態を、情報コードの読み取りが可能となる読取可能状態と、読取可能状態のときよりも電力消費を抑えた省電力状態とに切り替える切替手段を備えている。そして、ケーブルの巻き取り動作が検出されたときに、切替手段によりコード読取部の読み取り状態を省電力状態に切り替えるように構成されている。このようにコード読取部を読取可能状態と省電力状態とに切り替え可能とすれば、省電力化を図りやすくなる。一方、このように切り替え可能に構成する場合、どのタイミングでどのようにして省電力状態から復帰させるかが問題となるが、実際の使用開始時に想定されるケーブルの送り出し動作を検出したときに省電力状態から復帰させるようにすれば、複雑な操作を作業者に強いることなく適切なタイミングで省電力モードから復帰させることができる。
【００１２】
請求項３の発明では、上記請求項１の構成において、さらにケーブルの巻き取り動作を検出する巻き取り検出手段を備えている。そして、ケーブルの巻き取り動作が検出されたときに、切替手段によりコード読取部を省電力状態に切り替えるようにしている。この構成によれば、使用開始が想定される適切なタイミングで省電力状態から復帰させることができ、使用中断が想定される適切なタイミングで省電力状態に切り替えることができる。
【００１３】
請求項４の発明では、リール側又は当該リールを収容する収容体側には係合部が設けられている。また、ケーブルには、係合部に対し係合及び離脱可能な被係合部が設けられている。そして、ケーブルがリールに所定量巻かれた場合に係合部と被係合部とが係合し、ケーブルが所定量巻かれた状態よりも送り出された場合に係合部と被係合部との係合が解除される構成をなしており、被係合部が係合部から離脱すると送り出し動作が検出されるようになっている。この構成によれば、ケーブルが所定量巻かれた位置となっているか、それよりも送り出されているかを簡易な構成で確実に検出できるようになる。
【００１４】
請求項５の発明では、リールは、ケーブルの動作が送り出し動作である場合に第１方向へ回転し、ケーブルの動作が巻き取り動作である場合に第１方向とは逆回転となる第２方向へ回転するように構成されている。また、送り出し検出手段は、ケーブルが第１方向へ回転することを検出する第１回転検出手段を有しており、巻き取り検出手段は、ケーブルが第２方向へ回転することを検出する第２回転検出手段を有している。この構成によれば、送り出し動作及び巻き取り動作のいずれについても簡易な構成で確実に検出することができる。特に、リールの回転方向を検出することで送り出し動作若しくは巻き取り動作のいずれの動作であるかを容易に判別することができる。
【００１５】
請求項６の発明では、送り出し検出手段及び巻き取り検出手段に兼用される構成をなし、且つリールの周方向に沿ってスライド可能な操作部を有するスイッチ手段を備えている。このスイッチ手段の操作部は、リールにケーブルが所定量巻かれたときに当該ケーブルと接触するように構成され、ケーブルが所定量巻かれた状態でリールが第１方向に回転したときには、その接触するケーブルの移動に応じて第１位置側に切り替わるように構成されている。また、ケーブルが所定量巻かれた状態でリールが第２方向に回転したときには、その接触するケーブルの移動に応じて第２位置側に切り替わるように構成されている。そして、送り出し検出手段は、スイッチ手段の操作部が第１位置へ切り替わることを検出し、巻き取り検出手段は、操作部が第２位置へ切り替わることを検出するようにしている。この構成によれば、ケーブルが所定量巻かれることでスイッチ手段の操作部が第１位置側に切り替わるようになるので、不用意にケーブルが巻かれてしまっても、即座にスイッチ手段の操作部が切り替わってしまうことを抑制できる。例えば、当該読取装置から相対的に離れた位置にある情報コードを読み取る場合などに好適である。
【００１６】
請求項７の発明では、送り出し検出手段及び巻き取り検出手段に兼用される構成をなし、且つケーブルと接触して配置される操作部を備えたスイッチ手段を備えている。また、ケーブルにおける操作部の接触位置は、リールが第１方向に回転するときに所定方向に移動し、リールが第２方向に回転するときに所定方向とは逆方向に移動する構成をなしている。さらに、スイッチ手段の操作部は、リールが第１方向に回転したときには、ケーブルの接触位置の移動に応じて第１位置側に切り替わり、リールが第２方向に回転したときには、ケーブルの接触位置の移動に応じて第２位置側に切り替わるように構成されている。そして、送り出し検出手段は、操作部が第１位置へ切り替わることを検出し、巻き取り検出手段は、操作部が第２位置へ切り替わることを検出するようにしている。この構成によれば、リールが僅かでも回転することで、スイッチ手段の操作部が第１位置と第２位置とで即座に切り替わるようになっている。これにより、例えば、短時間に複数の情報コードを読み取る場合などであっても、適切なタイミングで省電力状態に切り替えることができる。
【００１７】
請求項８の発明では、切替手段は、走査手段を走査可能状態と走査停止状態とに切り替え可能に構成されている。そして、走査手段が走査停止状態のときに、送り出し検出手段によってケーブルの送り出し動作が検出された場合に、当該走査手段を走査可能状態に切り替えるようにしている。この構成では、電力消費が大きい走査手段を必要に応じて走査停止状態に切り替えることができるため、省電力化の面で一層有利となる。また、ケーブルの送り出し動作が検出され、コード読取部が使用されようとするときには、複雑な操作を要することなく走査手段を迅速に走査可能状態に切り替えることができるため、使用の際に支障を来すこともない。
【００１８】
請求項９の発明では、コード読取部は、走査手段による走査側に対して照明光を照射する照明手段を備えている。また、切替手段は、照明手段を照射可能状態と照射停止状態とに切り替え可能に構成されている。そして、照明手段が照射停止状態のときに送り出し検出手段によってケーブルの送り出し動作が検出された場合に、切替手段は照明手段を照射可能状態に切り替えるようにしている。この構成では、電力消費が大きい照明手段を必要に応じて照射停止状態に切り替えることができるため、省電力化の面で一層有利となる。また、ケーブルの送り出し動作が検出され、コード読取部が使用されようとするときには、複雑な操作を要することなく照明手段を迅速に照射可能状態に切り替えることができるため、使用の際に支障を来すこともない。
【００１９】
請求項１０の発明では、切替手段は、コード読取部を電源オン状態と電源オフ状態とに切り替え可能に構成されている。そして、コード読取部が電源オフ状態のときに送り出し検出手段によってケーブルの送り出し動作が検出された場合に、当該コード読取部を電源オン状態に切り替えるようにしている。この構成では、必要に応じてコード読取部全体を電源オフ状態に切り替えることができるため、省電力化の面でより一層有利となる。また、ケーブルの送り出し動作が検出され、コード読取部が使用されようとするときには、複雑な操作を要することなく迅速に電源オン状態に切り替えることができる。
【００２０】
請求項１１の発明では、コード読取部の外部に設けられると共に、筐体によって外殻が構成されてなる外部装置を有している。そして、この筐体の内部に、リールが配置されている。この構成では、コード読取部の外部に配置される外部装置側にリールを設けることができるため、コード読取部を大型化、複雑化することなく高機能化を実現できる。
【図面の簡単な説明】
【００２１】
【図１】図１（Ａ）は、本第１実施形態に係る光学的情報読取装置を概略的に例示する斜視図であり、図１（Ｂ）は、被係合部が前記係合部から離脱した状態を示す説明図であり、図１（Ｃ）は、係合部と被係合部とが係合した状態を示す説明図である。
【図２】図２は、読取動作を説明する説明図である。
【図３】図３は、光学的情報読取装置の電気的構成を示すブロック図である。
【図４】図４（Ａ）は、第２実施形態に係る光学的情報読取装置における検出部の検知動作を説明する図であり、図４（Ｂ）は、スライドスイッチの操作部がＡ１位置にある状態を示す図であり、図４（Ｃ）は、スライドスイッチの操作部がＡ２位置にある状態を示す図である。
【図５】図５は、第３実施形態に係る光学的情報読取装置における検出部の検知動作を説明する図であり、図５（Ａ）は、スライドスイッチの操作部がＢ１位置側にある状態を示す図であり、図５（Ｂ）は、スライドスイッチの操作部がＢ２位置側にある状態を示す図である。
【図６】図６は、第４実施形態に係る光学的情報読取装置における検出部の検知動作を説明する図であり、図６（Ａ）は、スライドスイッチの操作部がＣ１位置側にある状態を示す図であり、図６（Ｂ）は、スライドスイッチの操作部がＣ２位置側にある状態を示す図である。
【図７】図７は、第４実施形態における他の変形例に係る光学的情報読取装置における検出部の検知動作を説明する図であり、図７（Ａ）は、ケーブルが送り出されるときのローラの回転を説明する図であり、図７（Ｂ）は、ケーブルが巻き取られるときのローラの回転を説明する図である。
【図８】図８は、第３実施形態における他の変形例に係る光学的情報読取装置における検出部の検知動作を説明する図であり、図８（Ａ）は、プッシュ式のスイッチの操作部がＤ１位置側にある状態を示す図であり、図８（Ｂ）は、プッシュ式のスイッチの操作部がＤ２位置側にある状態を示す図である。
【図９】図９（Ａ）は、第３実施形態における他の変形例に係る光学的情報読取装置における検出部の検知動作を説明する図であり、図９（Ｂ）は、突起６６ａがＥ１位置にある状態を示す図であり、図９（Ｃ）は、突起６６ａがＥ１位置とＥ２位置との間にある状態を示す図であり、図９（Ｄ）は、突起６６ａがＥ２位置にある状態を示す図である。
【発明を実施するための形態】
【００２２】
[第１実施形態]
以下、本発明に係る光学的情報読取装置を具現化した第１実施形態について、図面を参照して説明する。
（全体構成）
まず、図１〜図３等を参照して第１実施形態に係る光学的情報読取装置１の全体構成について説明する。なお、図１（Ａ）は、本第１実施形態に係る光学的情報読取装置を概略的に例示する斜視図であり、図１（Ｂ）は、被係合部が前記係合部から離脱した状態を示す説明図であり、図１（Ｃ）は、係合部と被係合部とが係合した状態を示す説明図である。図２は、読取動作を説明する説明図である。図３は、光学的情報読取装置の電気的構成を示すブロック図である。
【００２３】
図１に示すように、光学的情報読取装置１（以下、単に「読取装置１」ともいう）は、読取対象物Ｒに表示されたバーコードや二次元コードなどの情報コードＢを読み取る装置として構成されており、主として、コード読取部１ａ、外部装置１ｂ、ケーブル６とによって構成されている。
【００２４】
まず、コード読取部１ａの概要を説明する。
コード読取部１ａは、図１に示すように、主に、ハウジングを構成するケース２、このハウジング内に収容される図略のプリント配線板及び光学系等により構成されており、ケーブル６を介して外部装置１ｂに電気的に接続されている。このコード読取部１ａは、情報コードＢを読み取る機能を有し、読み取った情報コードＢのデータを、ケーブル６を介して外部装置１ｂに転送したり、外部装置１ｂからの信号を、ケーブル６を介して取得することができるようになっている。
【００２５】
ケース２は、上ケース２ａ及び下ケース２ｂとから構成されており、ＡＢＳ樹脂等の合成樹脂からなる成形部材で、主に、コード読取部１ａの表側の外観を形成している。これら上ケース２ａ及び下ケース２ｂの一端側には、読取口４が形成され、また他端側にはケーブル取付部５が形成されている。そして、このケーブル取付部５によって、ケーブル６の一端側とケース２の他端側とが固定されている。読取口４が形成される一端側は、裏面側に大きく前傾する首曲がり形状に形成されている。これにより、作業者がコード読取部１ａを当該上ケース２ａ側から把持した状態で、読取対象物に表示された情報コードＢに読取口４を当て易くしている。また、上ケース２ａの首曲がり形状部のほぼ中央には、情報コードＢの読み取りに関する情報を光で作業者に通知し得る発光部４３が形成されている。
【００２６】
図略のプリント配線板は、上ケース２ａ及び下ケース２ｂにより形成される内部空間に収容可能な矩形状に形成されており、メモリ３５や制御部４０、あるいは発光部４３の光源となる発光ダイオード（ＬＥＤ）等の電気系の電子部品を実装することにより、所定の電子回路を構成し得る配線パターンがプリントされている。このプリント配線板には、これらの電子部品のほかに、バーコードの読み取りに必要な光学系の照明光源２１や受光センサ２８等も実装されている。
【００２７】
次に、コード読取部１ａの電気的構成を図３に基づいて説明する。
図３に示すように、コード読取部１ａは、主に、照明光源２１、受光センサ２８、結像レンズ２７等の光学系と、メモリ３５、制御部４０、発光部４３、ブザー４４、バイブレータ４５等のマイコン系と、から構成されている。そして、照明光源２１、受光センサ２８、結像レンズ２７等の光学系は、制御部４０と協働して、情報コードＢを読み取る（解読する）ように機能する。なお、制御部４０は、「走査手段」、「解読手段」の一例に相当する。
【００２８】
コード読取部１ａの光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、照明光源２１は、「照明手段」の一例に相当する。
【００２９】
受光光学系は、受光センサ２８、結像レンズ２７、反射鏡（図示略）などによって構成されている。この受光センサ２８は、Ｃ−ＭＯＳやＣＣＤ等の固体撮像素子等からなり、結像レンズ２７を介して入射する入射光を受光可能に構成されており、プリント配線板（図示略）に実装されている。
【００３０】
結像レンズ２７は、外部から読取口４を介して入射する入射光を集光して受光センサ２８の受光面２８ａに像を結像可能な結像光学系として機能するものである。本実施形態では、照明光源２１から照射された照明光Ｌｆが、情報コードＢにて反射した後（照明光Ｌｆが読取口４を介して情報コードＢ上に走査されて、情報コードＢにて反射した後）、この反射光Ｌｒを結像レンズ２７で集光し、受光センサ２８の受光面２８ａにコード像を結像させている。
【００３１】
マイコン系は、増幅回路３１、Ａ／Ｄ変換回路３３、メモリ３５、アドレス発生回路３６、同期信号発生回路３８、制御部４０、発光部４３、ブザー４４、バイブレータ４５、通信インタフェース４８等から構成されている。
【００３２】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３３】
制御部４０は、コード読取部１ａの全体を制御可能なマイコンで、ＣＰＵ、システムバス、入出力インタフェース等からなるもので、メモリ３５とともに情報処理装置を構成し得るもので情報処理機能を有する。この制御部４０は、内蔵された入出力インタフェースを介して種々の入出力装置と接続可能に構成されており、本実施形態の場合、発光部４３、ブザー４４、バイブレータ４５、通信インタフェース４８等が接続されている。
【００３４】
これにより、例えば、情報コードＢの読み取りに関する情報を通知するインジケータとして機能する発光部４３の点灯・消灯、ビープ音やアラーム音を発生可能なブザー４４の鳴動のオンオフ、さらには当該読取装置１の作業者に伝達し得る振動を発生可能なバイブレータ４５の駆動制御や外部装置１ｂとのシリアル通信を可能にする通信インタフェース４８の通信制御等を可能にしている。
【００３５】
次に、外部装置１ｂについて説明する。
外部装置１ｂは、ＰＯＳシステム（Point Of Sales system）やホストコンピュータ等の情報処理装置として構成され、上述のケーブル６によってコード読取部１ａに接続されており、筐体９１によって外殻が構成されている。なお、図２以降では、説明の便宜上、筐体９１を箱形形状として示し、大きさも小サイズで示しているが、筐体９１の形状や大きさは特に限定されず、上述の情報処理装置として構成し得る形状やサイズであればよい。
【００３６】
外部装置１ｂにおいて筐体９１の内部には、ケーブル６を巻き取り及び送り出し可能なリールが配置されている。このリールは、ケーブル６を巻き取ると共に、ケーブル６が一方側から引かれたときに当該ケーブル６を送り出すように構成されており、検出部以外は例えば後述する図６等のリールと同様の構成をなしている。また、筐体９１には、このケーブル６の巻き取りや送り出しのための出入口９２が設けられている。
【００３７】
リールは、ケーブル６を巻き取る巻き取り駆動部を備えており、この巻き取り駆動部の巻き取り力に抗してケーブル６が一方側から引かれたときに当該ケーブル６を送り出し可能に構成されている。また、一方側からのケーブル６を引っ張る力が巻き取り力よりも小さくなると、巻き取り駆動部は、ケーブル６を自動的に巻き取るように構成されている。この、巻き取り駆動部は、例えば、渦巻ばねやモータ等によって構成することができる。なお、筐体９１は、「リールを収容する収容体」の一例に相当する。
【００３８】
また、図１に示すように、外部装置１ｂには、ケーブル６の送り出し動作及び巻き取り動作をそれぞれ検出可能な検出部６０が設けられている。本実施形態で用いられる検出部６０は、例えば物体の接触や押圧を検出する近接センサ、圧力センサ等のスイッチ６３によって構成されている。そして、筐体９１の出入口９２の近傍には、図１（Ｂ）、（Ｃ）に示すように被係合部６２と係合する係合部６１が設けられており、この係合部６１に、検出部６０が配置されている。また、ケーブル６の所定位置には、係合部６１に対し係合及び離脱可能な被係合部６２が設けられている。そして、ケーブル６がリールに所定量巻かれた場合に、係合部６１と被係合部６２とが係合するようになっている（図１（Ｃ））。
【００３９】
図１の例では、ケーブル６がリールに所定量巻かれたときに被係合部６２が係合部６１のスイッチ６３に接触・押圧するように係合するようになっており（図１（Ｃ）），この係合状態のときには、係合部６１内に設けられるスイッチ６３から被係合部６２の接触・押圧に応じた信号（例えばＨレベル信号）が出力され、この信号が制御回路９４（図３）に入力されるようになっている。一方、ケーブル６が所定量巻かれた状態よりもリールから送り出された場合には、ケーブル６と追従して被係合部６２が係合部６１から離れ、係合部６１と被係合部６２との係合が解除されるようになっている（図１（Ｂ））。また、このように係合が解除されると、被係合部６２によるスイッチ６３の押圧が解除されて非押圧状態となるため、スイッチ６３から当該非押圧状態に応じた信号（例えばＬレベル信号）が出力され、この信号が制御回路９４（図３）に入力されるようになっている。
【００４０】
このように検出部６０は、スイッチ６３に対する押圧力の有無によってケーブル６の送り出し動作及び巻き取り動作をそれぞれ検出している。すなわち、検出部６０は、送り出し動作として、被係合部６２が係合部６１から離脱（離間）したことを検出し、巻き取り動作として、係合部６１と被係合部６２とが係合（接触・押圧）したことを検出するように構成されている。なお、検出部６０は、「送り出し検出手段」及び「巻き取り検出手段」の一例に相当する。
【００４１】
係合部６１は、被係合部６２と接触し得る位置であれば、筐体９１における出入口９２付近の外壁部に設けてもよく、筐体９１内に設けてもよい。なお、筐体９１内に係合部６１を設ける場合には、出入口９２は、被係合部６２の大きさよりも大きく設定すればよく、ケーブル６が送り出されたときに、被係合部６２がケーブル６と共に、筐体９１の外部に排出されるようにすればよい。また、被係合部６２は、ケーブル６が巻き取られるときに、ケーブル６の巻き込み過多を防止するストッパーの機能も兼用している。
【００４２】
制御回路９４は、ＣＰＵなどを主体として構成されており、検出部６０からの信号を取得可能に構成されると共に、検出部６０から入力される信号に応じて、コード読取部１ａの読み取り状態を、情報コードＢの読み取りが可能となる読取可能状態と、読取可能状態のときよりも電力消費を抑えた省電力状態とに切り替えるように機能している。なお、制御部４０は、「切替手段」の一例に相当する。
【００４３】
（読み取り状態の切替動作）
次に、上述のように構成される光学的情報読取装置１において行われる読み取り状態の切替動作について図１、図２を主に用いて説明する。本発明では、例えば当該読取装置１の不使用時（読み取りを行っていない時）に、ケーブル６がリールに巻き取られた状態となっている。この状態のときには、上述のように被係合部６２がスイッチ６３に当接してスイッチ６３から係合（接触・押圧）の検出に応じた信号が出力され、この信号が制御回路９４に入力される。制御回路９４は、スイッチ６３から係合（接触・押圧）の検出信号（例えばＨレベル信号）が出力されるときには、例えばコード読取部１ａへの電力供給を遮断するように制御し、コード読取部１ａの電源をオフ状態（省電力状態）に切り替える。これにより、コード読取部１ａ内の照明光源２１や受光センサ２８は動作停止状態となる（即ち、照射停止状態及び走査停止状態となる）。
【００４４】
一方、上記のような係合状態（係合部６１と被係合部６２とが係合している状態）のときに、ケーブル６が筐体９１から引き出されるように引かれると（図２においてα方向へ引かれると）、ケーブル６が出入口９２を介してリールから送り出され、被係合部６２が係合部６１から離脱することになる。このとき、被係合部６２がスイッチ６３から離間するため、検出部６０を構成するスイッチ６３からは、この非押圧状態に応じた信号（例えばＬレベル信号）が出力されることになる（即ち、送り出し動作が検出される）。そして、制御回路９４は、検出部６０から送り出し動作に応じた信号（非押圧状態に応じた信号（例えばＬレベル信号））が入力されると、例えばコード読取部１ａへの電力供給を開始するように制御し、コード読取部１ａの電源をオン状態（読取可能状態）に切り替える。これにより、コード読取部１ａ内では、照明光源２１や受光センサ２８が動作可能状態となり、制御部４０は、これらを駆動するように制御を行う。本発明では、このように、ケーブル６を筐体９１から引き出すことにより、トリガキーなどを操作しなくとも、コード読取部１ａの電源をオフ状態からオン状態に切り替えることができる。
【００４５】
また、上記のようにコード読取部１ａの電源がオン状態のときに、再びケーブル６が所定量巻き戻されると（図２において、β方向へ巻かれると）、係合部６１と被係合部６２とが係合し、検出部６０によって巻き取り動作が検出される（即ち、スイッチ６３が被係合部６２によって接触・押圧され、押圧に応じた信号を出力することになる）。そして、制御回路９４は、検出部６０からこの巻き取り動作に応じた信号が入力されると、コード読取部１ａへの電力供給を遮断し、コード読取部１ａを再び電源オフ状態（省電力状態）に切り替える。
【００４６】
なお、上記の例では、スイッチ６３から係合（接触・押圧）の検出信号（例えばＨレベル信号）が出力されるときに、制御回路９４がコード読取部１ａへの電力供給を遮断する例を示したが、スイッチ６３から係合（接触・押圧）の検出信号（例えばＨレベル信号）が出力されるときに、制御回路９４からコード読取部１ａに対し、照明光源２１又は受光センサ２８、若しくはこれら両方の動作停止を指示する信号（即ち、省電力状態への切り替え指示信号）を出力するようにしてもよい。この場合、コード読取部１ａ側の制御部４０は、制御回路９４からこの信号（動作停止を指示する信号）を与えられたときに、照明光源２１又は受光センサ２８、若しくはこれら両方の動作を停止した状態（省電力状態）に制御することになる。また、この構成の場合、スイッチ６３から非係合（離脱）の検出信号（例えばＬレベル信号）が出力されるときに、制御回路９４からコード読取部１ａに対し、照明光源２１又は受光センサ２８、若しくはこれら両方の動作を指示する信号（読取可能状態への切り替え指示信号）を出力するようにしてもよい。この場合、コード読取部１ａ側の制御部４０は、制御回路９４からこの信号（動作を指示する信号）を与えられたときに、照明光源２１又は受光センサ２８、若しくはこれら両方の動作を開始することになる。
【００４７】
以上説明したように、本第１実施形態に係る光学的情報読取装置１では、ケース２内にケーブル６の一端が接続されており、このケーブル６がリールに巻き取り可能に構成されている。また、コード読取部１ａの読み取り状態を、情報コードＢの読み取りが可能となる読取可能状態と、読取可能状態のときよりも電力消費を抑えた省電力状態とに切り替えるように構成されている。そして、ケーブル６が一端側から引かれるとリールから送り出されるように構成されており、このケーブル６の送り出し動作が検出部６０により検出されたときに、コード読取部１ａの読み取り状態を読取可能状態に切り替えるように構成されている。このようにコード読取部１ａを読取可能状態と省電力状態とに切り替え可能とすれば、省電力化を図りやすくなる。一方、このように切り替え可能に構成する場合、どのタイミングでどのようにして省電力状態から復帰させるかが問題となるが、実際の使用開始時に想定されるケーブル６の送り出し動作を検出したときに省電力状態から復帰させるようにすれば、複雑な操作を作業者に強いることなく適切なタイミングで省電力モードから復帰させることができる。
【００４８】
さらに、ケーブル６の巻き取り動作を検出部６０により検出するように構成されている。そして、ケーブル６の巻き取り動作が検出されたときに、コード読取部１ａを省電力状態に切り替えるようにしている。この構成によれば、使用開始が想定される適切なタイミングで省電力状態から復帰させることができ、使用中断が想定される適切なタイミングで省電力状態に切り替えることができる。
【００４９】
また、リールを収容する筐体９１の出入口９２の近傍には、係合部６１が設けられている。また、ケーブル６には、係合部６１に対し係合及び離脱可能な被係合部６２が設けられている。そして、ケーブル６がリールに所定量巻かれた場合に係合部６１と被係合部６２とが係合し、ケーブル６が所定量巻かれた状態よりも送り出された場合に係合部６１と被係合部６２との係合が解除される構成をなしており、被係合部６２が係合部６１から離脱すると送り出し動作が検出されるようになっている。この構成によれば、ケーブル６が所定量巻かれた位置となっているか、それよりも送り出されているかを簡易な構成で確実に検出できるようになる。
【００５０】
また、コード読取部１ａの受光センサ２８（走査手段）を走査可能状態と走査停止状態とに切り替え可能に構成されている。そして、走査停止状態のときに、ケーブル６の送り出し動作が検出された場合に、走査可能状態に切り替えるようにしている。この構成では、電力消費が大きい受光センサ２８を必要に応じて走査停止状態に切り替えることができるため、省電力化の面で一層有利となる。また、ケーブル６の送り出し動作が検出され、受光センサ２８が使用されようとするときには、複雑な操作を要することなく迅速に走査可能状態に切り替えることができるため、使用の際に支障を来すこともない。
【００５１】
また、コード読取部１ａは、走査側に対して照明光を照射する照明光源２１を備えている。また、照明光源２１を照射可能状態と照射停止状態とに切り替え可能に構成されている。そして、照明光源２１が照射停止状態のときにケーブル６の送り出し動作が検出された場合に、照明光源２１を照射可能状態に切り替えるようにしている。この構成では、電力消費が大きい照明光源２１を必要に応じて照射停止状態に切り替えることができるため、省電力化の面で一層有利となる。また、ケーブル６の送り出し動作が検出され、照明光源２１が使用されようとするときには、複雑な操作を要することなく照明光源２１を迅速に照射可能状態に切り替えることができるため、使用の際に支障を来すこともない。
【００５２】
また、コード読取部１ａを電源オン状態と電源オフ状態とに切り替え可能に構成されている。そして、コード読取部１ａが電源オフ状態のときにケーブル６の送り出し動作が検出された場合に、コード読取部１ａを電源オン状態に切り替えるようにしている。この構成では、必要に応じてコード読取部１ａを電源オフ状態に切り替えることができるため、省電力化の面でより一層有利となる。また、ケーブル６の送り出し動作が検出され、コード読取部１ａが使用されようとするときには、複雑な操作を要することなく迅速に電源オン状態に切り替えることができる。
【００５３】
また、コード読取部１ａの外部に設けられると共に、筐体９１によって外殻が構成されてなる外部装置１ｂを有している。そして、この筐体９１の内部に、リールが配置されている。この構成では、コード読取部１ａの外部に配置される外部装置１ｂ側にリールを設けることができるため、コード読取部１ａを大型化、複雑化することなく高機能化を実現できる。
【００５４】
[第２実施形態]
次に、本発明の第２実施形態に係る光学的情報読取装置１について、図４を参照して説明する。本第２実施形態では、検出部６０の構成に変えて検出部２６０の構成を採用する点が主に異なる。したがって、第１実施形態の光学的情報読取装置１と実質的に同一の構成部分には、同一符号を付し、その説明を省略する。
【００５５】
図４（Ａ）は、第２実施形態に係る光学的情報読取装置における検出部の検知動作を説明する図であり、図４（Ｂ）は、検出部を構成するスライドスイッチの操作部がＡ１位置にある状態を示す図であり、図４（Ｃ）は、検出部を構成するスライドスイッチの操作部がＡ２位置にある状態を示す図である。
【００５６】
本第２実施形態では、図４（Ａ）に示すように、リール７０の側面には、このリール７０の周方向に沿って渦巻き状の溝部７１が設けられている。そして、リール７０近傍には、リール７０の周方向に沿ってスライド可能な操作部６４ａを有するスライドスイッチ６４が設けられている。さらに、この操作部６４ａは、溝部７１内に配置されている。そして、本第２実施形態では、検出部２６０は、スライドスイッチ６４および溝部７１によって構成されている。
【００５７】
リール７０は、図４（Ａ）に示すように、ケーブル６の動作が送り出し動作である場合に、α方向（第１方向）へ回転し、ケーブル６の動作が巻き取り動作である場合に、α方向とは逆回転となるβ方向（第２方向）へ回転するように構成されている。そして、リール７０が回転されると、操作部６４ａは、このリール７０の回転と連動して、このリール７０によりスライドされるようになっている。具体的に、操作部６４ａは、ケーブル６が所定量巻き取られた状態では、図４（Ｂ）に示すＡ１位置にあり、ケーブル６が所定量送り出されると、図４（Ｃ）に示すＡ２位置にスライドされるようになっている。また、図４（Ｃ）に示す状態から、ケーブル６が所定量巻き取られると、操作部６４ａは、図４（Ｂ）に示すＡ１位置に戻るようになっている。そして、検出部２６０は、操作部６４ａがＡ１位置からＡ２位置に変位したときにケーブル６の送り出し動作（ケーブル６の第１方向への回転）を検出するように構成されている。また、検出部２６０は、操作部６４ａがＡ２位置からＡ１位置に変位したときにケーブル６の巻き取り動作（ケーブル６の第２方向への回転）を検出するように構成されている。なお、検出部２６０は、「第１回転検出手段」及び「第２回転検出手段」の一例に相当する。
【００５８】
以上説明したように、本第２実施形態に係る光学的情報読取装置１では、リール７０は、ケーブル６の動作が送り出し動作である場合に第１方向へ回転し、ケーブル６の動作が巻き取り動作である場合に第１方向とは逆回転となる第２方向へ回転するように構成されている。また、検出部２６０は、ケーブル６が第１方向へ回転すると、ケーブル６の送り出し動作を検出し、ケーブル６が第２方向へ回転すると、ケーブル６の巻き取り動作を検出するように構成されている。この構成によれば、送り出し動作及び巻き取り動作のいずれについても簡易な構成で確実に検出することができる。特に、リール７０の回転方向を検出することで送り出し動作若しくは巻き取り動作のいずれの動作であるかを容易に判別することができる。
【００５９】
[第３実施形態]
次に、本発明の第３実施形態に係る光学的情報読取装置１について、図５を参照して説明する。本第３実施形態では、検出部６０の構成に変えて検出部３６０の構成を採用する点が主に異なる。したがって、第１実施形態の光学的情報読取装置１と実質的に同一の構成部分には、同一符号を付し、その説明を省略する。
【００６０】
図５は、第３実施形態に係る光学的情報読取装置における検出部の検知動作を説明する図であり、図５（Ａ）は、検出部を構成するスライドスイッチの操作部がＢ１位置側にある状態を示す図であり、図５（Ｂ）は、検出部を構成するスライドスイッチの操作部がＢ２位置側にある状態を示す図である。
【００６１】
本第３実施形態では、図５に示すように、リール３７０近傍には、リール３７０の周方向に沿ってスライド可能な操作部３６４ａを有するスライドスイッチ３６４が設けられている。そして、このスライドスイッチ３６４は、ケーブル６の送り出し動作及び巻き取り動作を検出する検出部３６０を構成している。なお、検出部３６０は、「スイッチ手段」の一例に相当する。
【００６２】
具体的に、操作部３６４ａは、ケーブル６が所定量巻き取られた状態では、図５（Ａ）に示すように、ケーブル６に接触するように構成されており、Ｂ１位置側に変位している。そして、ケーブル６が所定量巻かれた状態でリール３７０がα方向（第１方向）に回転したときには、操作部３６４ａは、その接触するケーブル６の移動に応じてγ方向へ移動し、図５（Ｂ）に示すＢ２位置側に変位するようになっている。また、ケーブル６が所定量巻かれた状態でリール３７０がβ方向（第２方向）に回転したときには、操作部３６４ａは、その接触するケーブル６の移動に応じてγ’方向へ移動し、図５（Ａ）に示すＢ１位置側に変位するように構成されている。そして、検出部３６０は、操作部３６４ａがＢ１位置からＢ２位置へ切り替わると、ケーブル６の送り出し動作を検出するように構成されている。また、検出部３６０は、操作部３６４ａがＢ２位置からＢ１位置へ切り替わると、ケーブル６の巻き取り動作を検出するように構成されている。なお、Ｂ２位置は、「第１位置」の一例に相当し、Ｂ１位置は、「第２位置」の一例に相当する。
【００６３】
このように、本第３実施形態に係る光学的情報読取装置１では、送り出し動作及び巻き取り動作の検出に兼用される検出部３６０の構成をなし、且つリール３７０の周方向に沿ってスライド可能な操作部３６４ａを有するスライドスイッチ３６４を備えている。このスライドスイッチ３６４の操作部３６４ａは、リール３７０にケーブル６が所定量巻かれたときに当該ケーブル６と接触するように構成され、ケーブル６が所定量巻かれた状態でリール３７０が第１方向に回転したときには、その接触するケーブル６の移動に応じてＢ２位置側に切り替わるように構成されている。また、ケーブル６が所定量巻かれた状態でリール３７０が第２方向に回転したときには、その接触するケーブル６の移動に応じてＢ２位置側に切り替わるように構成されている。そして、検出部３６０は、操作部３６４ａがＢ１位置からＢ２位置へ切り替わることを検出することで送り出し動作を検出し、操作部３６４ａがＢ２位置からＢ１位置へ切り替わることを検出することで巻き取り動作を検出するようにしている。この構成によれば、ケーブル６が所定量巻かれることでスライドスイッチ３６４の操作部３６４ａがＢ２位置側に切り替わるようになるので、不用意にケーブルが巻かれてしまっても、スライドスイッチ３６４の操作部３６４ａが切り替わってしまうことを抑制できる。例えば、当該読取装置１から相対的に離れた位置にある情報コードＢを読み取る場合などに好適である。
【００６４】
[第４実施形態]
次に、本発明の第４実施形態に係る光学的情報読取装置１について、図６を参照して説明する。本第４実施形態では、検出部６０の構成に変えて検出部４６０の構成を採用する点が主に異なる。したがって、第１実施形態の光学的情報読取装置１と実質的に同一の構成部分には、同一符号を付し、その説明を省略する。
【００６５】
図６は、第４実施形態に係る光学的情報読取装置における検出部の検知動作を説明する図であり、図６（Ａ）は、検出部を構成するスライドスイッチの操作部がＣ１位置側にある状態を示す図であり、図６（Ｂ）は、検出部を構成するスライドスイッチの操作部がＣ２位置側にある状態を示す図である。
【００６６】
本第４実施形態では、図６に示すように、筐体９１の出入口９２の近傍には、スライドスイッチ４６４が設けられている。また、スライドスイッチ４６４は、ケーブル６の出入り方向に沿ってスライド可能な操作部４６４ａを有している。そして、スライドスイッチ３６４は、ケーブル６の送り出し動作及び巻き取り動作を検出する検出部４６０を構成している。また、リール４７０の周囲には、ガイド壁７２が設けられており、このガイド壁７２によって、ケーブル６をスライドスイッチ４６４の操作部４６４ａに常時接触させるようにガイドしている。
【００６７】
そして、ケーブル６における操作部４６４ａの接触位置は、リール４７０がα方向（第１方向）に回転するときに所定方向に移動し、リール４７０がβ方向（第２方向）に回転するときに所定方向とは逆方向に移動する構成をなしている。スライドスイッチ４６４の操作部４６４ａは、リール４７０がα方向に回転したときには、ケーブル６の接触位置の移動に応じて図６（Ａ）に示すＣ１位置から図６（Ｂ）に示すＣ２位置に切り替わるように構成されている。また、リール４７０がβ方向に回転したときには、ケーブル６の接触位置の移動に応じて図６（Ｂ）に示すＣ２位置から図６（Ａ）に示すＣ１位置に切り替わるように構成されている。そして、検出部４６０は、操作部４６４ａがＣ１位置からＣ２位置へ切り替わると、ケーブル６の送り出し動作を検出するように構成されている。また、検出部４６０は、操作部４６４ａがＣ２位置からＣ１位置へ切り替わると、ケーブル６の巻き取り動作を検出するように構成されている。そしてこのように、ケーブル６をスライドスイッチ４６４の操作部４６４ａに常時接触させる構成では、ケーブル６の移動が比較的小さくても、当該ケーブル６の送り出し動作及び巻き戻し動作を確実に検知することができる。
【００６８】
このように、本第４実施形態に係る光学的情報読取装置１では、リールが僅かでも回転することで、スライドスイッチ４６４の操作部４６４ａがＣ１位置とＣ２位置とで即座に切り替わるようになっている。これにより、例えば、短時間に複数の情報コードを読み取る場合などであっても、適切なタイミングで省電力状態に切り替えることができる。
【００６９】
［他の実施形態]
本発明は上記記述及び図面によって説明した実施形態に限定されるものではなく、例えば次のような実施形態も本発明の技術的範囲に含まれる。
【００７０】
上記各実施形態において、検出部６０の構成は、スイッチ部材に限定されず、例えば、ケーブル６に所定のマークを付け、このマーク位置を光学センサなどによって検出することで、ケーブル６の送り出し及び巻き取り動作を検出するように構成してもよい。
【００７１】
上記各実施形態において、リールは、外部装置１ｂの筐体９１内に収容される構成でなくともよく、筐体９１外に設ける構成としてもよい。
【００７２】
上記第１実施形態において、リールを筐体９１外に設ける場合には、係合部をリール側に設けるように構成することができる。
【００７３】
上記第４実施形態において、例えば、図７に示すように筐体９１の出入口９２の近傍にケーブル６に接触するように１対のローラ７３を設け、このローラ７３の回転方向をロータリエンコーダなどによって検出することで、ケーブル６の送り出し及び巻き取り動作を検出するように構成してもよい。さらに、リール４７０の回転方向を直接検出することによって、ケーブル６の送り出し及び巻き取り動作を間接的に検出するように構成することもできる。
【００７４】
上記実施形態において、さらにトリガスイッチ等によっても、読み取りタイミングを制御できる構成が付加されていてもよい。
【００７５】
上記第２実施形態において、検出部２６０にスライドスイッチ６４を用いた例を示したが、これに限定されず、例えば、トグルスイッチ等を用いることもできる。
【００７６】
上記第３実施形態において、検出部３６０にスライドスイッチ３６４を用いた例を示したが、これに限定されず、例えば、図８に示すように、プッシュ式のスイッチ５６３を用いることもできる。そして、検出部５６０は、プッシュ式のスイッチ５６３の操作部５６３ａがＤ１位置からＤ２位置に変位したときに、ケーブル６の送り出し動作を検出し、操作部３６３ａがＤ２位置からＤ１位置に変位したときに、ケーブル６の巻き取り動作を検出するように構成することができる。
【００７７】
上記第３実施形態において、ケーブル６とスイッチ部材との間に別部材を介し、この別部材の変位によって、ケーブル６の送り出し及び巻き取り動作を検出することもできる。例えば、検出部６６０は、図９に示すように、スイッチ部材としてロッカースイッチ６５を用い、ケーブル６とロッカースイッチ６５との間に、一端に突起６６ａが形成された棒状部材６６を設けて構成されていてもよい。すなわち、この構成では、ケーブル６の巻き取り量に応じて棒状部材６６が変位することで、ロッカースイッチ６５を切り替えるようになっている。そして、検出部６６０は、突起６６ａがＥ１位置からＥ２位置に変位したときに、ケーブル６の送り出し動作を検出し、突起６６ａがＥ２位置からＥ１位置に変位したときに、ケーブル６の巻き取り動作を検出するように構成することができる。
【００７８】
上記実施形態では、走査手段として、Ｃ−ＭＯＳやＣＣＤ等の固体撮像素子を例示したが、情報コードからの反射光を受光可能な構成であればよく、レーザ光を走査するレーザ走査手段と、このレーザ光の反射光を受光する受光手段とを備えたレーザスキャンタイプのものであってもよい。
【符号の説明】
【００７９】
１…光学的情報読取装置
１ａ…コード読取部
１ｂ…外部装置
２…ケース
２ａ…上ケース
２ｂ…下ケース
４…読取口
５…ケーブル取付部
６…ケーブル
１０…制御部（走査手段、解読手段）
２１…照明光源（照明手段）
２７…結像レンズ
２８…受光センサ
３１…増幅回路
３３…Ａ／Ｄ変換回路
３５…メモリ
３６…アドレス発生回路
３８…同期信号発生回路
４０…制御部
４３…発光部
４４…ブザー
４５…バイブレータ
４８…通信インタフェース
６０、２６０、３６０、４６０、５６０、６６０…検出部（送り出し検出手段、巻き取り検出手段、第１回転検出手段、第２回転検出手段、スイッチ手段）
６１…係合部
６２…被係合部
６３、５６３…スイッチ
６４、３６４、４６４…スライドスイッチ
６４ａ、３６４ａ、４６４ａ…操作部
６５…ロッカースイッチ
６６…棒状部材
６６ａ…突起
７０、３７０、４７０、５７０、６７０…リール
７１…溝部
７２…ガイド壁
７３…ローラ
９１…筐体
９２…出入口
９４…制御回路（切替手段）
Ｂ…情報コード
Ｒ…読取対象物
【図１】
2012190403.tif 000003
【図２】
2012190403.tif 000004
【図３】
2012190403.tif 000005
【図４】
2012190403.tif 000006
【図５】
2012190403.tif 000007
【図６】
2012190403.tif 000008
【図７】
2012190403.tif 000009
【図８】
2012190403.tif 000010
【図９】
2012190403.tif 000011